(57)【要約】      （修正有）【課題】複数の通信ケーブルが輻輳している場合に所望の通信ケーブルを容易に追跡することを可能とする配線追跡装置、信号報知通信アダプタ、及び電力供給通信アダプタを提供する。【解決手段】配線追跡装置は、電力供給通信アダプタ１と、信号報知通信アダプタとを有する。電力供給通信アダプタ１は、第１の筺体１１に設けられている第１の出力側挿入部１２及び第２の出力側挿入部１３と、出力側接続部１４と、電源１５と、切替部１６とを有する。信号報知通信アダプタは、第２の筺体に設けられている第１の入力側挿入部及び第２の入力側挿入部と、入力側接続部と、報知部とを有する。【選択図】図２
2010238582.tif 000002
【特許請求の範囲】
【請求項１】
第１の筺体と、前記第１の筺体に設けられている、通信ケーブルが挿入される出力側挿入部と、前記第１の筺体に設けられている通信部と、前記第１の筺体に設けられている、前記出力側挿入部に挿入される通信ケーブルと前記通信部とを電気的に接続する出力側接続部と、前記第１の筺体に設けられている電源と、前記出力側接続部と前記電源との接続と切断とを切り替える切替部とを有する電力供給通信アダプタと、
第２の筺体と、前記第２の筺体に設けられている、通信ケーブルが挿入される入力側挿入部と、前記第２の筺体に設けられている入力側通信部と、前記第２の筺体に設けられている、前記入力側挿入部に挿入される通信ケーブルと前記入力側通信部とを電気的に接続する入力側接続部と、前記第２の筺体に設けられている、前記入力側接続部に接続されている報知部とを有する信号報知通信アダプタと
を備える配線追跡装置。
【請求項２】
筺体と、
前記筺体に設けられている、通信ケーブルが挿入される出力側挿入部と、
前記筺体に設けられている出力側通信部と、
前記筺体に設けられている、前記出力側挿入部に挿入される通信ケーブルと前記出力側通信部とを電気的に接続する出力側接続部と、
前記筺体に設けられている電源と、
前記出力側接続部と前記電源との接続と切断とを切り替える切替部と
を備える電力供給通信アダプタ。
【請求項３】
前記出力側通信部は、前記筺体の外部に突出している、通信ケーブルの挿入部に嵌合するプラグである
請求項２に記載の電力供給通信アダプタ。
【請求項４】
前記出力側通信部は、通信ケーブルが挿入される挿入部であって、
前記出力側接続部は、前記出力側挿入部に挿入される通信ケーブルと前記出力側通信部に挿入される通信ケーブルとを電気的に接続する
請求項２に記載の電力供給通信アダプタ。
【請求項５】
前記切替部は、前記筺体の外部からの指示に基づいて、前記出力側接続部と前記電源との接続と切断とを切り替える
請求項２に記載の電力供給通信アダプタ。
【請求項６】
前記切替部は、前記第２の出力側挿入部に挿入されている通信ケーブルが外されたとき、前記出力側接続部と前記電源とを接続させる
請求項２に記載の電力供給通信アダプタ。
【請求項７】
筺体と、
前記筺体に設けられている、通信ケーブルが挿入される入力側挿入部と、
前記筺体に設けられている入力側通信部と、
前記筺体に設けられている、前記入力側挿入部に挿入される通信ケーブルと前記入力側通信部とを電気的に接続する入力側接続部と、
前記筺体に設けられている、前記入力側接続部に接続されている報知部と
を備える信号報知通信アダプタ。
【請求項８】
前記入力側通信部は、前記筺体の外部に突出している、通信ケーブルの挿入部に嵌合するプラグである
請求項７に記載の信号報知通信アダプタ。
【請求項９】
前記入力側通信部は、通信ケーブルが挿入される挿入部であって、
前記入力側接続部は、前記入力側挿入部に挿入される通信ケーブルと前記入力側通信部に挿入される通信ケーブルとを電気的に接続する
請求項７に記載の信号報知通信アダプタ。
【請求項１０】
前記報知部は、前記筺体の外面部に設けられている、視覚的に情報を報知する装置である
請求項７に記載の信号報知通信アダプタ。
【発明の詳細な説明】
【技術分野】
【０００１】
本発明は、所望の通信ケーブルを追跡する技術に関する。
【背景技術】
【０００２】
複数の通信ケーブルそれぞれの一端のモジュラープラグが１個のパッチパネルに設けられている複数の接続部それぞれに接続されており、複数の通信ケーブルそれぞれの他端のモジュラープラグが、ＰＣや複合機に接続されている場合がある。そのような場合、あるＰＣに接続されている通信ケーブルを故障が生じたこと等により交換する必要が生じたとき、作業者が交換しようとしている通信ケーブルをＰＣ又は複合機からパッチパネルまでたどってパッチパネルから引き抜き、新しい通信ケーブルと交換する。
【先行技術文献】
【特許文献】
【０００３】
【特許文献１】特開２００７−２６５６８１号公報
【特許文献２】特開２００４−９６８４６号公報
【発明の概要】
【発明が解決しようとする課題】
【０００４】
しかしながら、複数の通信ケーブルが絡み合って輻輳していると、通信ケーブルをたどる作業は人間が行うので、作業者はパッチパネルから引き抜かなければならない通信ケーブルとは別の通信ケーブルを誤ってパッチパネルから引き抜いてしまう場合がある。そうすると、パッチパネルから引き抜かれた通信ケーブルに接続されていた機器には、突然通信を行うことができなくなる等の問題が発生する。
【０００５】
本発明は、複数の通信ケーブルが輻輳している場合に所望の通信ケーブルを容易に追跡することを可能とする配線追跡装置、信号報知通信アダプタ、及び電力供給通信アダプタを提供することを目的とする。
【課題を解決するための手段】
【０００６】
上記課題を解決し上記目的を達成するために、本発明の配線追跡装置は、第１の筺体と、前記第１の筺体に設けられている、通信ケーブルが挿入される出力側挿入部と、前記第１の筺体に設けられている通信部と、前記第１の筺体に設けられている、前記出力側挿入部に挿入される通信ケーブルと前記通信部とを電気的に接続する出力側接続部と、前記第１の筺体に設けられている電源と、前記出力側接続部と前記電源との接続と切断とを切り替える切替部とを有する電力供給通信アダプタと、第２の筺体と、前記第２の筺体に設けられている、通信ケーブルが挿入される入力側挿入部と、前記第２の筺体に設けられている入力側通信部と、前記第２の筺体に設けられている、前記入力側挿入部に挿入される通信ケーブルと前記入力側通信部とを電気的に接続する入力側接続部と、前記第２の筺体に設けられている、前記入力側接続部に接続されている報知部とを有する信号報知通信アダプタとを備える。
【０００７】
本発明の電力供給通信アダプタは、筺体と、前記筺体に設けられている、通信ケーブルが挿入される出力側挿入部と、前記筺体に設けられている出力側通信部と、前記筺体に設けられている、前記出力側挿入部に挿入される通信ケーブルと前記出力側通信部とを電気的に接続する出力側接続部と、前記筺体に設けられている電源と、前記出力側接続部と前記電源との接続と切断とを切り替える切替部とを備える。
【０００８】
本発明の信号報知通信アダプタは、筺体と、前記筺体に設けられている、通信ケーブルが挿入される入力側挿入部と、前記筺体に設けられている入力側通信部と、前記筺体に設けられている、前記入力側挿入部に挿入される通信ケーブルと前記入力側通信部とを電気的に接続する入力側接続部と、前記筺体に設けられている、前記入力側接続部に接続されている報知部とを備える。
【発明の効果】
【０００９】
本発明は、複数の通信ケーブルが輻輳している場合に所望の通信ケーブルを容易に追跡することを可能とする配線追跡装置、信号報知通信アダプタ、及び電力供給通信アダプタを提供することができる。
【図面の簡単な説明】
【００１０】
【図１】実施の形態１の配線追跡装置の概観図である。
【図２】実施の形態１の電力供給通信アダプタの各構成部を機能的に説明する図である。
【図３】実施の形態１の信号報知通信アダプタの各構成部を機能的に説明する図である。
【図４】実施の形態１の電力供給通信アダプタの機能を説明するための図である。
【図５】実施の形態１の電力供給通信アダプタの機能を説明するための図である。
【図６】実施の形態２の配線追跡装置の概観図である。
【図７】実施の形態２の電力供給通信アダプタの各構成部を機能的に説明する図である。
【図８】実施の形態１の電力供給通信アダプタの第２の出力側挿入部に通信ケーブルが挿入されている状態を示す図である。
【図９】実施の形態１の信号報知通信アダプタの第１の入力側挿入部に通信ケーブルが挿入されている状態を示す図である。
【図１０】実施の形態３の電力供給通信アダプタの概観図である。
【図１１】実施の形態３の信号報知通信アダプタの概観図である。
【図１２】実施の形態３の電力供給通信アダプタの各構成部を機能的に説明する図である。
【図１３】実施の形態３の信号報知通信アダプタの各構成部を機能的に説明する図である。
【発明を実施するための形態】
【００１１】
以下に、本発明を実施するための形態を図面を参照して説明する。
【００１２】
（実施の形態１）
先ず、実施の形態１の配線追跡装置を図１から図５を用いて説明する。
【００１３】
図１は、実施の形態１の配線追跡装置の概観図である。配線追跡装置は、複数の通信ケーブルが輻輳している場合に所望の通信ケーブルを容易に追跡することを可能とする装置であって、図１に示すように、電力供給通信アダプタ１と、信号報知通信アダプタ２とで構成されている。図１には、第１通信ケーブルＡ、第２通信ケーブルＢ、及び第３通信ケーブルＣも表示されている。
【００１４】
図２は、実施の形態１の電力供給通信アダプタ１の各構成部を機能的に説明する図である。図２には、第１通信ケーブルＡ及び第２通信ケーブルＢも表示されている。図３は、実施の形態１の信号報知通信アダプタ２の各構成部を機能的に説明する図である。図３には、第１通信ケーブルＡ及び第３通信ケーブルＣも表示されている。
【００１５】
電力供給通信アダプタ１は、通信ケーブルを介して信号報知通信アダプタ２に電力を供給する装置であって、図１及び図２に示すように、第１の筺体１１と、第１の出力側挿入部１２と、第２の出力側挿入部１３と、出力側接続部１４と、電源１５と、切替部１６とを有する。
【００１６】
第１の筺体１１は、出力側接続部１４及び電源１５が納められる。第１の出力側挿入部１２及び第２の出力側挿入部１３は、第１の筺体１１に設けられており、通信ケーブルの先端のモジュラープラグが挿入される。出力側接続部１４は、第１の筺体１１の内部に設けられており、第１の出力側挿入部１２及び第２の出力側挿入部１３に挿入される通信ケーブル相互を電気的に接続する。電源１５は、第１の筺体１１に設けられている電力供給手段である。切替部１６は、出力側接続部１４と電源１５との接続と切断とを切り替える。
【００１７】
信号報知通信アダプタ２は、第２の筺体２１と、第１の入力側挿入部２２と、第２の入力側挿入部２３と、入力側接続部２４と、報知部２５とを有する。
【００１８】
第２の筺体２１は、入力側接続部２４が納められる。第１の入力側挿入部２２及び第２の入力側挿入部２３は、第２の筺体２１に設けられており、通信ケーブルの先端のモジュラープラグが挿入される。入力側接続部２４は、第２の筺体２１の内部に設けられており、第１の入力側挿入部２２及び第２の入力側挿入部２３に挿入される通信ケーブル相互を電気的に接続する。報知部２５は、第２の筺体２１の外面部に設けられているＬＥＤである。
【００１９】
図４は、実施の形態１の電力供給通信アダプタ１の機能を説明するための図である。図４に示すように、第１通信ケーブルＡの一方の端のモジュラープラグが電力供給通信アダプタ１の第１の出力側挿入部１２に挿入されており、第１通信ケーブルＡの他方の端のモジュラープラグが図４の上から二つ目の信号報知通信アダプタ２の第２の入力側挿入部２３に挿入されている状態を仮定する。また、図４に示すように、第２通信ケーブルＢの一方の端のモジュラープラグが電力供給通信アダプタ１の第２の出力側挿入部１３に挿入されており、第２通信ケーブルＢの他方の端のモジュラープラグがＰＣ１００のプラグ挿入部に挿入されている状態を仮定する。更に、第３通信ケーブルＣの一方の端のモジュラープラグが信号報知通信アダプタ２の第１の入力側挿入部２２に挿入されており、第３通信ケーブルＣの他方の端のモジュラープラグがパッチパネル２００の上から二つ目のプラグ挿入部に挿入されている状態を仮定する。
【００２０】
この状況において、ユーザが第１通信ケーブルＡを取り外そうとする場合、電力供給通信アダプタ１の切替部１６にその旨を指示する。例えば、切替部１６が第１の筺体１１の外面部に設けられているスイッチであれば、ユーザはそのスイッチの所定の部位を押圧してオン（入）状態にする。また、切替部１６が第１の筺体１１の外面部に設けられているボタンであれば、ユーザはそのボタンを押してオン（入）状態にする。
【００２１】
これにより、電力供給通信アダプタ１の電源１５と第２の出力側挿入部１３とが電気的に接続され、電力供給通信アダプタ１の内部の電源１５から第１通信ケーブルＡを介して信号報知通信アダプタ２に電流が供給される。
【００２２】
そうすると、図５に示すように、上から２番目の信号報知通信アダプタ２の報知部２５は、入力側接続部２４を介して電力供給通信アダプタ１からの電流を受けて、電力供給通信アダプタ１から電流が供給されたことを信号報知通信アダプタ２の外部に報知する。実施の形態１では、報知部２５はＬＥＤであるので、電力供給通信アダプタ１からの電流が信号報知通信アダプタ２に供給されると、報知部（ＬＥＤ）２５は、信号報知通信アダプタ２の外部に光を発する。
【００２３】
このように、ユーザが、取り外そうとする第１通信ケーブルＡが挿入されている電力供給通信アダプタ１の切替部１６を押圧すること等により、電力供給通信アダプタ１の電源１５と第２の出力側挿入部１３とを電気的に接続させると、電力供給通信アダプタ１から信号報知通信アダプタ２に電流が供給され、報知部（ＬＥＤ）２５が発光する。ユーザは、発光している信号報知通信アダプタ２に挿入されているパッチパネル２００とは反対側の通信ケーブルを取り外せば、所望の第１通信ケーブルＡを取り外すことができる。
【００２４】
上述した実施の形態１の電力供給通信アダプタ１及び信号報知通信アダプタ２を用いれば、所望の通信ケーブルを容易に追跡するために特殊な通信ケーブルを配設する必要はない。従来からの通信ケーブルを用いることができるので、通信ケーブルの配置に対するコストを押さえることができる。
【００２５】
また、電力供給通信アダプタ１又は信号報知通信アダプタ２が故障した場合、故障したものを交換すればよく、所望の通信ケーブルを追跡するために不必要なコストをかけなくてすむ。
【００２６】
（実施の形態２）
次に、実施の形態２の配線追跡装置を図６から図７を用いて説明する。図６は、実施の形態２の配線追跡装置の概観図である。図７は、実施の形態２の電力供給通信アダプタ１の各構成部を機能的に説明する図である。
【００２７】
実施の形態２の電力供給通信アダプタ１は、図７に示すように、実施の形態１の電力供給通信アダプタ１に設けられている構成部に加えて、液晶表示装置１７と、保持部１８とを有する。また、実施の形態２の信号報知通信アダプタ２の報知部２５は、液晶表示装置である。
【００２８】
実施の形態２においても、ユーザが、取り外そうとする第１通信ケーブルＡが挿入されている電力供給通信アダプタ１の切替部１６を押圧すること等により、電力供給通信アダプタ１の電源１５と第２の出力側挿入部１３とを電気的に接続させると、電力供給通信アダプタ１から信号報知通信アダプタ２に電流が供給され、報知部（液晶表示装置）２５は発光する。ユーザは、報知部（液晶表示装置）２５による発光を視認し、発光している信号報知通信アダプタ２に挿入されているパッチパネル２００とは反対側の通信ケーブルを取り外せば、所望の第１通信ケーブルＡを取り外すことができる。
【００２９】
なお、実施の形態２の電力供給通信アダプタ１は、配線追跡装置の外部の情報入力装置から送信対象の文字列等の情報を受け付けてその情報を保持部１８により保持し、その情報を液晶表示装置１７に表示させてもよい。そして、電力供給通信アダプタ１は、信号報知通信アダプタ２への電流の供給時に、保持部１８により保持したデータを信号報知通信アダプタ２へ送信してもよい。その場合、電力供給通信アダプタ１からの情報は、実施の形態２の信号報知通信アダプタ２の報知部２５によって表示される。
【００３０】
また、上述した実施の形態１及び２では、切替部１６が第１の筺体１１の外面部に設けられているスイッチ等である場合を説明した。しかしながら、切替部１６は、第２通信ケーブルＢの一方の端のモジュラープラグが電力供給通信アダプタ１の第２の出力側挿入部１３から取り外された場合、それを契機として電力供給通信アダプタ１の電源１５と第２の出力側挿入部１３とを電気的に接続させてもよい。
【００３１】
又は、切替部１６は、通信手段を有しその通信手段が電力供給通信アダプタ１の外部から電源１５と第２の出力側挿入部１３とを電気的に接続させる指示を受け付けた場合、電源１５と第２の出力側挿入部１３とを電気的に接続させるものであってもよい。
【００３２】
なお、電力供給通信アダプタ１及び信号報知通信アダプタ２は、通信ケーブルが挿入されていない状態で製造又は販売が行われてもよいが、図８及び図９に示すように、両者とも一方の挿入部に通信ケーブルが挿入された状態で、製造又は販売が行われてもよい。図８は、電力供給通信アダプタ１の第２の出力側挿入部１３に通信ケーブルＸが挿入されている状態を示す図である。図９は、信号報知通信アダプタ２の第１の入力側挿入部２２に通信ケーブルＹが挿入されている状態を示す図である。
【００３３】
（実施の形態３）
次に、実施の形態３の配線追跡装置を図１０から図１３を用いて説明する。図１０は、実施の形態３の電力供給通信アダプタ１の概観図であり、図１１は、実施の形態３の信号報知通信アダプタ２の概観図である。図１２は、実施の形態３の電力供給通信アダプタ１の各構成部を機能的に説明する図であり、図１３は、実施の形態３の信号報知通信アダプタ２の各構成部を機能的に説明する図である。
【００３４】
実施の形態３の電力供給通信アダプタ１は、図１０及び図１２に示すように、第１の筺体１１と、第１の出力側挿入部１２と、出力側通信接続部３１と、出力側接続部１４と、電源１５と、切替部１６とを有する。
【００３５】
出力側通信接続部３１は、通信ケーブルの先端のモジュラープラグと同じ機能を有するプラグであって、通信ケーブルの挿入部に嵌合する。出力側通信接続部３１の先端部は、第１の筺体１１の外部に突出している。出力側接続部１４は、第１の出力側挿入部１２に挿入される通信ケーブルと出力側通信接続部３１とを電気的に接続する。なお、第１の筺体１１、第１の出力側挿入部１２、電源１５、及び切替部１６は、実施の形態１の電力供給通信アダプタ１を構成するものと同じものである。
【００３６】
実施の形態３の信号報知通信アダプタ２は、図１１及び図１３に示すように、第２の筺体２１と、第２の入力側挿入部２３と、入力側通信接続部３２と、入力側接続部２４と、報知部２５とを有する。
【００３７】
入力側通信接続部３２は、通信ケーブルの先端のモジュラープラグと同じ機能を有するプラグであって、通信ケーブルの挿入部に嵌合する。入力側通信接続部３２の先端部は、第２の筺体２１の外部に突出している。入力側接続部２４は、第２の入力側挿入部２３に挿入される通信ケーブルと入力側通信接続部３２とを電気的に接続する。なお、第２の筺体２１、第２の入力側挿入部２３、及び報知部２５は、実施の形態１の信号報知通信アダプタ２を構成するものと同じものである。
【００３８】
ここで、電力供給通信アダプタ１の出力側通信接続部３１がＰＣ１００のプラグ挿入部に挿入されており、信号報知通信アダプタ２がパッチパネル２００のプラグ挿入部に挿入されていると仮定する。また、電力供給通信アダプタ１の第１の出力側挿入部１２に第１通信ケーブルＡの一方の先端が挿入されており、信号報知通信アダプタ２の第２の入力側挿入部２３に第１通信ケーブルＡの他方の先端が挿入されていると仮定する。
【００３９】
この状況において、ユーザは、第１通信ケーブルＡを取り外そうとする場合、電力供給通信アダプタ１の切替部１６を用いて、電力供給通信アダプタ１の電源１５と第２の出力側挿入部１３とを電気的に接続し、電源１５から第１通信ケーブルＡを介して信号報知通信アダプタ２に電流を供給させる。
【００４０】
そうすると、信号報知通信アダプタ２の報知部２５は、入力側接続部２４を介して電力供給通信アダプタ１からの電流を受けて、電力供給通信アダプタ１から電流が供給されたことを信号報知通信アダプタ２の外部に報知する。報知部２５がＬＥＤであれば、報知部（ＬＥＤ）２５は、信号報知通信アダプタ２の外部に光を発する。
【００４１】
これにより、ユーザは、発光している信号報知通信アダプタ２に挿入されているパッチパネル２００とは反対側の通信ケーブルを取り外せば、所望の第１通信ケーブルＡを取り外すことができる。
【００４２】
なお、実施の形態３の電力供給通信アダプタ１は、保持部１８と液晶表示装置１７とを有していてもよい。また、実施の形態３の信号報知通信アダプタ２の報知部２５は、液晶表示装置であってもよい。
【００４３】
また、上述した実施の形態１から実施の形態３では、報知部２５は、ＬＥＤ又は液晶表示装置として説明した。しかしながら、報知部２５は、ＬＥＤ又は液晶表示装置に限定されない。報知部２５は、電流が電力供給通信アダプタ１から信号報知通信アダプタ２に供給されたら、その旨を、色を変える等により視覚的に表示するものであってもよい。又は、報知部２５は、電流が電力供給通信アダプタ１から信号報知通信アダプタ２に供給されたら、音により、その旨を信号報知通信アダプタ２の外部に報知するものであってもよい。要するに、報知部２５は、電流が電力供給通信アダプタ１から信号報知通信アダプタ２に供給されると、その旨を信号報知通信アダプタ２の外部に出力するものであればよい。
【００４４】
また、通信ケーブルには、印刷機能を有する複合機等の機器に接続される信号伝送線も含まれる。
【００４５】
更に、第２の出力側挿入部１３及び出力側通信接続部３１は、本発明の電力供給通信アダプタの出力側通信部の一例である。また、第１の入力側挿入部２２及び入力側通信接続部３２は、本発明の信号報知通信アダプタの入力側通信部の一例である。
【符号の説明】
【００４６】
１  電力供給通信アダプタ、  ２  信号報知通信アダプタ、  １１  第１の筺体、  １２  第１の出力側挿入部、  １３  第２の出力側挿入部、  １４  出力側接続部、  １５  電源、  １６  切替部、  ２１  第２の筺体、  ２２  第１の入力側挿入部、  ２３  第２の入力側挿入部、  ２４  入力側接続部、  ２５  報知部。
【図１】
2010238582.tif 000003
【図２】
2010238582.tif 000004
【図３】
2010238582.tif 000005
【図４】
2010238582.tif 000006
【図５】
2010238582.tif 000007
【図６】
2010238582.tif 000008
【図７】
2010238582.tif 000009
【図８】
2010238582.tif 000010
【図９】
2010238582.tif 000011
【図１０】
2010238582.tif 000012
【図１１】
2010238582.tif 000013
【図１２】
2010238582.tif 000014
【図１３】
2010238582.tif 000015